(57)【要約】【課題】納骨室への納骨が容易であり、納骨室内の物品を取り出しにくい墓石の提供。【解決手段】この墓石２は、地中に納骨室１０が形成された地面の上に設置される墓石であって、竿石８と、この竿石８の下方に設置されている、少なくとも一つの台石からなる基台５（下台４）と、この基台５の前面２０に固定されている前台１６とを備えており、上記基台５の下面２２が、上記納骨室１０に対向しており、この基台５には、その上記前面２０と上記下面２２とを連通する第１連通空間２４が形成されており、上記前台１６には、その上面と背面３０とを連通する第２連通空間３２が形成されており、上記前台１６の上面における第２連通空間３２の上端開口３４には、開閉用の蓋部材３６が備えられており、上記第１連通空間２４が上記第２連通空間３２に連通している。【選択図】図１
0003204246.tif 000002
【実用新案登録請求の範囲】
【請求項１】
地中に納骨室が形成された地面の上に設置される墓石であって、
竿石と、
この竿石の下方に設置されている、少なくとも一つの台石からなる基台と、
この基台の前面に固定されている前台とを備えており、
上記基台の下面が、上記納骨室に対向しており、
この基台には、その上記前面と上記下面とを連通する第１連通空間が形成されており、
上記前台には、その上面と背面とを連通する第２連通空間が形成されており、
上記前台の上面における第２連通空間の上端開口には、開閉用の蓋部材が備えられており、
上記第１連通空間が上記第２連通空間に連通している、墓石。
【請求項２】
上記蓋部材には、上記第２連通空間の上端開口からの離脱を防止するためのロック機構が設けられている、請求項１に記載の墓石。
【請求項３】
上記ロック機構が、ネジ部材と、上記蓋部材及び前台のいずれか一方に形成されたネジ穴と、他方に形成されたネジ部材用挿通孔とを有している、請求項２に記載の墓石。
【考案の詳細な説明】
【技術分野】
【０００１】
本考案は墓石に関する。
【背景技術】
【０００２】
図４には、従来の墓石の一例が示されている。この墓石１０２は、一番下に下台１０４が配置され、この下台１０４の上に上台１０６が設置され、この上台１０６の上に竿石１０８が設置されている。これらは、通常は石材から形成されている。下台と上台との間に中台が設置されている墓石も存在する。下台１０４の下方の地中には、納骨室１１０としての空間が形成されている。この納骨室１１０は、その天井が下台１０４の下面によって構成され、周囲の四面がコンクリート板又は石板によって囲まれ、底面が開放されて地中に連通したものである。納骨室には、周囲の四面及び底面共にコンクリート板又は石板から構成された箱状のものも存在する。
【０００３】
この墓石１０２では、水鉢１１２及び香炉１１４が、下台１０４の前面に接した状態で設置されている。この墓石１０２では、水鉢１１２と香炉１１４とが一体化されている。ここでは、この一体化された石を前台１１６と呼ぶ。前台１１６の左右両側には、花立て１１８が配置されている。
【０００４】
図４に示されるように、上記下台１０４には、その前面１２０と下面１２２とを連通する空間１２４が形成されている。この空間１２４は、納骨室１１０とその外部とを連通している。この空間１２４の、下台１０４の前面１２０側の開口（前面開口）１２６は、通常は、上記前台１１６によって閉止されている。納骨室１１０に遺骨等を納める際には、図中に２点鎖線で示すように、前台１１６を前方に移動させる等して、前面開口１２６を開く必要がある。この前台１１６は、一般的に約４０ｋｇから約６０ｋｇほどの重量を有しているため、容易には動かせない。納骨作業は厄介である。
【０００５】
一旦この前台１１６を移動させれば、納骨室１１０は大きく開放されうる。前面開口１２６から納骨室１１０へは近いので、納骨は容易である。一方、遺骨と共に納めた品が容易に持ち出されるおそれもある。
【考案の概要】
【考案が解決しようとする課題】
【０００６】
本考案は、上記現状に鑑みてなされたものであり、納骨室への連通が容易であり、納骨室への納骨が容易である一方、納骨室内の物品を取り出しにくい墓石を提供することを目的としている。
【課題を解決するための手段】
【０００７】
本考案に係る墓石は、
地中に納骨室が形成された地面の上に設置される墓石であって、
竿石と、
この竿石の下方に設置されている、少なくとも一つの台石からなる基台と、
この基台の前面に固定されている前台とを備えており、
上記基台の下面が、上記納骨室に対向しており、
この基台には、その上記前面と上記下面とを連通する第１連通空間が形成されており、
上記前台には、その上面と背面とを連通する第２連通空間が形成されており、
上記前台の上面における第２連通空間の上端開口には、開閉用の蓋部材が備えられており、
上記第１連通空間が上記第２連通空間に連通している、墓石。
【０００８】
好ましくは、上記蓋部材には、上記第２連通空間の上端開口からの離脱を防止するためのロック機構が設けられている。
【０００９】
好ましくは、上記ロック機構が、ネジ部材と、上記蓋部材及び前台のいずれか一方に形成されたネジ穴と、他方に形成されたネジ部材用挿通孔とを有している。
【考案の効果】
【００１０】
本考案に係る墓石によれば、納骨室への納骨が容易である一方、納骨室内の物品を取り出しにくい。
【図面の簡単な説明】
【００１１】
【図１】図１（ａ）は、本考案の一実施形態に係る墓石を示す正面図であり、図１（ｂ）はその右側面図である。
【図２】図２（ａ）は、図１の墓石の前台及び蓋部材を示す組み立て前正面図であり、図２（ｂ）は図２（ａ）の平面図であり、図２（ｃ）は図２（ａ）の底面図であり、図２（ｄ）は図２（ａ）の右側面図である。
【図３】図３は、本考案の他の実施形態に係る墓石を示す右側面図である。
【図４】図４（ａ）は、従来の墓石の一例を示す正面図であり、図４（ｂ）は、図４（ａ）におけるＩＶ−ＩＶ線に沿って見た断面図である。
【考案を実施するための形態】
【００１２】
以下、適宜図面が参照されつつ、好ましい実施形態に基づいて本考案が詳細に説明される。
【００１３】
図１には、本考案の一実施形態に係る墓石２が示されている。墓石２は、地中に形成された納骨室１０の上に設置される。この墓石２は、一番下に配置された下台４、この下台４の上に載置された上台６、この上台６の上に載置された竿石８、下台４の前面に設置された水鉢１２及び香炉（供物台兼用）１４、並びに、水鉢１２及び香炉１４の左右両側に設置された一対の花立て１８Ｌ、１８Ｒを備えている。
【００１４】
ここでは、納骨室１０の直上に配置される台石を基台と呼ぶ。基台とは、その前面に後述の前台１６が固定され、その下面が納骨室に対向している台石のことである。基台は、少なくとも一つの台石からなる。本実施形態では、下台４が基台５となる。
【００１５】
本実施形態では、水鉢１２と香炉１４とが一体化されている。この一体化された石を前台１６と呼ぶ。水鉢と香炉とは、一体化されずに互いに別体にされていてもよい（図３参照）。また、墓石２は、前台１６及び花立て１８Ｌ、１８Ｒを載置するための載置板１９を備えている。載置板１９は、下台４の前方に配置されている。
【００１６】
墓石２のこれらの構成物４、６、８、１６、１８Ｌ、１８Ｒは、一般的には花崗岩等の石材から形成される。本実施形態では、墓石２のこれらの構成物４、６、８、１６、１８Ｌ、１８Ｒは、ほぼ直方体形状を呈している。しかし、直方体形状には限定されない。
【００１７】
図１（ｂ）は、墓石２の右側面図ではある。しかし、理解容易のために、図１（ａ）の正面図における向かって右側の花立て１８Ｒを取り除いた図としている。
【００１８】
上記下台４は地面に設置されている。この墓石２は、中台を有していないが、上記下台４と上台６との間に中台を有していてもよい。
【００１９】
下台４の下方の地中には、上記納骨室１０が形成されている。この納骨室１０では、その天井が下台４の下面２２によって構成され、周囲の四面が図示しないコンクリート板又は石板によって囲まれ、底面が開放されて地中に連通している。この納骨室１０は、その底面に底板を有する箱状のものでもよい。
【００２０】
基台５には、その前面２０と下面２２とを連通する空間（第１連通空間）２４が形成される。従って、本実施形態では、図１に示されるように、基台５としての下台４に、第１連通空間２４が形成されている。この第１連通空間２４は、上記前面２０側の開口（前面開口）２６と、上記下面２２側の開口（下面開口）２８とを有している。下台４の前面開口２６の範囲には、上記前台１６が接した状態で設置されている。この前台１６の背面３０は、セメント等によって上記前面２０に固着されている。
【００２１】
図２には上記前台１６が示されている。前台１６の背面３０側には、前台１６を上下方向に貫通する凹所３２が形成されている。その結果、前台１６は、ほぼコ字状又はＵ字状の横断面を有する。この凹所３２を第２連通空間３２と呼ぶ。この前台１６の背面３０が下台４の前面２０に固定されても、上記第１連通空間２４の前面開口２６は、第２連通空間３２に対向する。第２連通空間３２の底部は載置板１９（図１）によって閉止されているが、上端開口３４が存在する。従って、第１連通空間２４は、第２連通空間３２を介して外部に連通される。納骨室１０は、第１連通空間２４及び第２連通空間３２を介して外部に連通される。なお、第２連通空間３２は、前台１６を上下に貫通せずに、下端が閉止されていてもよい。
【００２２】
この墓に納骨等する際は、遺骨等を、上端開口３４から第２連通空間３２に差し入れ、第１連通空間２４に向けて入れる。遺骨等は納骨室１０内に落下して納まる。第２連通空間３２の上端開口３４から納骨室１０の底までは、空間が２回直角に曲がったいわばジグザグ状になっている。従って、納骨室１０内の物を取り出す際に、手を納骨室１０の底まで差し入れるのは一苦労である。この点が盗難防止に有効である。
【００２３】
前台１６は、その上面に蓋部材３６を備えている。この蓋部材３６により、第２連通空間３２の上端開口３４が開閉されうる。この蓋部材３６は板状を呈している。この蓋部材３６の下面には、凸部３８が形成されている。この凸部３８は、第２連通空間３２の上端開口３４とほぼ同一形状を呈している。この凸部３８が、上端開口３４から第２連通空間３２内に密な状態で挿入される。蓋部材３６を持ち上げると、凸部３８が上端開口３４から抜けて、上端開口３４が開口される。蓋部材３６は、石材から形成される場合、１０ｋｇ以下となりうる。蓋部材３６の着脱は容易である。蓋部材３６の材質は石には限定されない。この蓋部材３６の設置により、納骨室１０内への雨水の直接的な進入が阻止されうる。
【００２４】
この蓋部材３６の上面には、水溜め用の浅い凹所（水溜め）４０及び平面４２が形成されている。この蓋部材３６が前台１６の上面に設置されることにより、前台１６が水鉢１２及び香炉（又は供物台）１４として機能しうる。
【００２５】
図２に示されるように、この前台１６には、蓋部材３６用のロック機構４４が設けられている。本実施形態では、このロック機構４４として、ネジ部材４６が用いられている。ネジ部材４６としては、六角頭付きボルト、六角孔付きボルト、十字溝付きボルト、木ネジ等が採用されうる。蓋部材３６の凸部３８には、横方向に雌ねじ部材４８が装着されている。前台１６の第２連通空間３２の上端開口３４近傍には、横方向に貫通孔５０が形成されている。上記ネジ部材４６は、この貫通孔５０に挿通された上で、上記雌ねじ部材４８に螺合される。このようにして、蓋部材３６は、上端開口３４を閉止した状態でロックされる。
【００２６】
本実施形態では、前台１６の左右両側にロック機構４４が設けられるが、片側のみでもよい。このロック機構４４は、錠を備えていない。しかし、スパナ、ねじ回し（スクリュードライバ）等を用意して、開口作業を行う必要があるので、厄介である。他人による開口を十分に抑止する効果がある。もちろん、ロック機構として、ネジ部材に代えて、又は、ネジ部材と共に、錠を含んだロック機構も採用されうる。
【００２７】
上記蓋部材３６は、上端開口３４に対し、上方から嵌着してこれを閉止し、上方に持ち上げてこれを開口するものである。しかし、かかる構成には限定されない。例えば、蝶番を用いて、蓋部材が、前台１６の上面の端縁に回動可能に取り付けられてもよい。
【００２８】
以上に説明された実施形態では、基台５が１つの台石（下台４）から構成されている。また、前台１６は、水鉢１２及び香炉（供物台兼用）１４が一体化された石である。しかし、かかる構成には限定されない。基台が複数個の台石から構成されてもよい。また、水鉢と香炉（供物台兼用）とが、互いに別体のもであってもよい。
【００２９】
図３には、他の実施形態に係る墓石５２が示されている。この墓石５２は、一番下に配置された下台５４、この下台５４の上に載置された中台５６、この中台５６の上に載置された上台６、この上台６の上に載置された竿石８、中台５６の上で且つ上台６の前に載置された水鉢５８と、下台５４の上で且つ中台５６の前に載置された香炉（兼供物台）６０、並びに、香炉６０の左右両側に設置された一対の花立て１８Ｌを備えている。向かって右側の花立て１８Ｒは図示を省略している。
【００３０】
この墓石５２の、図１の墓石２におけると同一構成物については、同一符号を付して説明を省略する。この墓石５２では、その香炉（兼供物台）６０が前台６２を構成している。そして、前台６２が前面に固定されている中台５６、及び、下面が納骨室１０に対向している下台５４、が基台６４を構成している。
【００３１】
基台６４には、その中台５６の前面６６と下台５４の下面６８とを連通する空間（第１連通空間）７０が形成される。すなわち、中台５６及び下台５４のそれぞれに、互いに連続した第１連通空間７０が形成されている。
【００３２】
上記香炉６０の背面には、図１、２に示す前台１６におけると同様の、上下に延びる第２連通空間７２が形成されている。第２連通空間７２の底部は下台５４によって閉止されている。この第２連通空間７２は、上記第１連通空間７０と連通し、納骨室１０と連通している。納骨室１０は、第１連通空間７０及び第２連通空間７２を介して外部に連通される。
【００３３】
第２連通空間７２の上端開口７４から納骨室１０の底までは、空間がいわばジグザグ状になっている。従って、納骨作業は容易である。一方、納骨室１０内の物を取り出す際に、手を納骨室１０の底まで差し入れるのは一苦労である。この点が盗難防止に有効である。
【００３４】
前台６２は、その上面に蓋部材７６を備えている。この蓋部材７６は、図２に示された蓋部材３６とほぼ同じ形状及び構造を有している。本蓋部材７６の、図２の蓋部材３６との相違点は、水鉢ではないので、その上面に水溜め４０（図２）を有していないことである。また、図示しないが、この蓋部材７６には、図２に示されたと同様のロック機構が備えられている。その他の構成は、図２の蓋部材３６とほぼ同一であるため、説明を省略する。
【００３５】
以上のとおり、基台は、下面が納骨室に対向している台石と、前面が前台に接している台石と、これら台石同士の間に在る台石とを含んでいる、と言える。
【産業上の利用可能性】
【００３６】
本考案は、墓石の製造に適用可能である。
【符号の説明】
【００３７】
２、５２・・・墓石
４、５４・・・下台
５、６４・・・基台
６・・・上台
８・・・竿石
１０・・・納骨室
１２、５８・・・水鉢
１４、６０・・・香炉（供物台）
１６、６２・・・前台
１８Ｌ、１８Ｒ、１８・・・花立て
２０・・・（下台の）前面
２２・・・（下台の）下面
２４、７０・・・第１連通空間
２６・・・（第１連通空間の）前面開口
２８・・・（第１連通空間の）下面開口
３０・・・（前台の）背面
３２、７２・・・第２連通空間
３４、７４・・・（第２連通空間の）上端開口
３６、７６・・・蓋部材
３８・・・凸部
４０・・・水溜め
４２・・・平面
４４・・・ロック機構
４６・・・ネジ部材
４８・・・雌ねじ部材
５０・・・貫通孔
５６・・・中台
６６・・・（基台の）前面
６８・・・（基台の）下面
【図１】
0003204246.tif 000003
【図２】
0003204246.tif 000004
【図３】
0003204246.tif 000005
【図４】
0003204246.tif 000006